(57)【要約】      （修正有）【課題】キャスティング補助器具は大がかりな装置や器具を不要とし、簡単な構造で、正しいキャスティング動作を効率よく学べ、実際の釣においてもキャスティング補助器として使える器具の提供。【解決手段】フライフィッシングロッド（竿）のグリップ周辺の一か所以上にベルトまたは紐を接続し、そのベルトまたは紐を上半身に固定する。長さは体格やキャスティングスタイルに合わせて調整を行う。そして、両手でフライフィッシングロッド（竿）を持った時、右手と左手、上半身の固定部が三角形を形成し、ベルトまたは紐により固定された上半身の部分が回転の軸となる。これにより両手がスムーズ且つ正確な円運動をすることが可能となり、理想的なキャスティング動作を体感・実現できる。また、ベルトまたは紐により上半身との距離が一定となるため、両手の動きに制限を掛けることができ、力みや不必要な動作が出来ないようになる。【選択図】図３
2018134066.tif 000002
【特許請求の範囲】
【請求項１】
フライフィッシングのキャスティング補助器であって、フライフィッシングロッド（竿）の一か所以上と上半身を紐やベルト、金具等により一定の長さで相互接続することを特徴とする用具。
【請求項２】
請求項１の用具を取付けることを前提とした留め具やフックを装備したフライフィッシングロッド（竿）。
【発明の詳細な説明】
【技術分野】
【０００１】本発明は、フライフィッシングロッド（竿）を使用したキャスティング補助器に関するものである。
【背景技術】
【０００２】フライフィッシングはフライラインと呼ばれる専用のラインを鞭のように振り、フライラインの重さで遠方へフライライン自体を飛ばし、その先に接続している毛鉤で魚を釣るスポーツフィッシングである。様々なキャスティングスタイルが存在するが、いずれの場合もある程度の距離を飛ばす事とコントロール（目的の場所へ毛鉤を投げる）を行うには豊富な経験と練習が必要であった。【０００３】フライフィッシングロッド（竿）を両手で投げるフライフィッシングのキャスティングにおいて最も重要な動作は左右の両手と胸の中心（上半身）の３点を結ぶ３角形を維持する事と（図５）、胸の中心を回転軸として両手をスムーズに動かす事になるが、肘を曲げての動作となるため、回転軸を体感する事が難しく、３角形の維持も困難であった。【０００４】フライフィッシングはロッド（竿）の曲がった力を利用しエネルギーをフライラインの重さに乗せることで飛ばすテクニックが必要で、力みや不要な力の入れ過ぎは逆に飛距離を落とす事になりコントロールも失う事になる。両手が自由に使える状態では簡単に力みを生んでしまい、キャスティングには高度な集中力と精神力を必要とする。【０００５】これらの解決策は現状では鍛練（膨大な練習）と僅かな動作の変化に対する結果のフィードバックデータを自身の経験として積み上げるしか方法は無かった。また、少しでも誤った動作に気付かず練習を繰り返すと、悪癖が残ってしまい、上達の妨げになるケースが多い。
【先行技術文献】
【特許文献】
【０００６】キャスティングフォームを覚えるように反復練習する大がかりな訓練装置が提案されている（例えば米抄６，７６３，６２８）。また、フライフィッシングの釣竿の先端に発射体を取り付けて竿の軌跡や速度を確認する提案がある（米２００２／１４８１５４）
【特許文献】
【０００７】
【特許文献１】米２００２／１４８１５４
【特許文献２】米抄６，７６３，６２８
【発明の概要】
【発明が解決しようとする課題】
【０００８】しかしながら、これらの提案は単なる練習器具であり、川や湖、海等でフライラインを飛ばし成否の確認を同時に行うことや、実際の釣で使用する事は出来ない。
解決しようとする課題は、大がかりな装置や器具を不要とし、簡単な構造である事と、正しいキャスティング動作を効率的に学べる事、および、実際の釣りにおいてもキャスティング補助器として使用できる事、以上の３点を実現する事を目的とする。
【課題を解決するための手段】
【０００９】本発明による「フライフィッシングのキャスティング補助器」はフライフィッシングロッド（竿）の一か所以上と上半身を紐やベルト、固定金具等で一定の長さに調整し相互接続する用具である。
【発明の効果】
【００１０】フライフィッシングロッド（竿）を両手で投げるキャスティングにおいて最も重要な動作は両手と胸の中心（上半身）の３点を結ぶ３角形を維持する事と（図５）、胸の中心を回転軸として両手を動かす事である。本発明の用具を使用する事で、回転軸のブレを防ぎ、スムーズな両手の動作が可能となり、これにより飛距離やコントロール性が向上する。また、本発明の用具を使用することで回転運動と回転軸を体感しやすくなり、正確な動作による正しい反復練習も可能となる。更に、本発明の用具により両手の動作に一定の制限が掛かる事になり、余分な動作や力みが無くなりキャスティングの成功率を大幅に向上させると伴に、疲れを軽減することができる。
【図面の簡単な説明】
【００１１】
【図１】「フライフィッシングのキャスティング補助器」の実施例１を示した説明図である。（実施例１）
【図２】「フライフィッシングのキャスティング補助器」の実施例２を示した説明図である。（実施例２）
【図３】「フライフィッシングのキャスティング補助器」の実施例１の使用方法を示した説明図である。（使用例１）
【図４】「フライフィッシングのキャスティング補助器」の実施例２の使用方法を示した説明図である。（使用例２）
【図５】「フライフィッシングのキャスティングフォーム」
【発明を実施するための形態】
【００１２】フライフィッシングロッド（竿）の一か所以上と上半身を接続するという目的を、簡単な構造と最小の部品点数で、体の動きを損なわず実現した。図１と図２は実施例を示し、図３と図４はそれぞれの実施例の使用方法を示している。
【００１３】まず、図１の実施例１を説明する。１０１はフライフィッシングロッド（竿）であり全容は省略する。１０２はフライフィッシングロッド（竿）の上部グリップを示し、１０３はフライリール、１０４は下部グリップを示している。１０５は紐またはベルトであり１０２の上部グリップと１０４の下部グリップの端にそれぞれ接続されている。１０５の片側はそれぞれ１０６のフックへ接続する。１０７は首に掛けるためのストラップで、１０８は長さを調整できるストッパであり安全器具としても兼用している。
【００１４】図３は上記の実施例１の使用方法を示しており、図１の１０７を首に掛け、長さを調整した後、１０６のフックを１０７に引っ掛ける。これにより両手と胸の中心（上半身）の３点を結ぶ３角形が作られ、スムーズなキャスティングフォームを得ることができる。また、フライフィッシングロッドを２点で結ぶ事により動きの制限が大き目にかかるよう工夫されており、主にビギナーや初心者が用いるキャスティング補助器具となる。
【００１５】次に、図２の実施例２を説明する。１０１はフライフィッシングロッド（竿）であり全容は省略する。１０２はフライフィッシングロッド（竿）の上部グリップを示し、１０３はフライリール、１０４は下部グリップを示している。２０１はロッド（竿）に取付けられた留め具である。２０２はフック、２０３は長さを調整できるストッパであり、２０４は紐またはベルトであり肩に掛ける事ができる長さとする。
【００１６】図４は上記の実施例２の使用方法を示しており、図２の２０４を肩に掛け、２０３で長さを調整した後、２０２のフックを２０１に引っ掛ける。これにより両手と胸の中心（上半身）の３点を結ぶ３角形が作られ、スムーズなキャスティングフォームを得ることができる。また、フライフィッシングロッドを１点で結ぶ事により動きの制限が少なめになるよう工夫されており、主に上級者が用いるキャスティング補助器具となる。
【産業上の利用可能性】
【００１７】以上説明したように、本発明によれば、フライフィッシングロッド（竿）を使用したフライフィッシングのキャスティング精度を向上させ、飛距離とコントロール性を改善する事ができると伴に、疲れを軽減する事ができる。更に、本発明を使用する事を前提とした練習カリキュラムにより、間違いの無い効率的な練習が可能となり、短期間での上達が期待できる。
【符号の説明】
【００１８】１０１  フライフィッシングロッド（竿）全容は省略
１０２  フライフィッシングロッド（竿）の上部グリップ
１０３  フライリール
１０４  フライフィッシングロッド（竿）の下部グリップ
１０５  紐またはベルト
１０６  フック
１０７  ストラップ（首掛け用）
１０８  長さ調整のストッパーおよび安全器具
２０１  留め具
２０２  フック
２０３  長さ調整用のストッパー
２０４  紐またはベルト（肩掛け用）
【図１】
2018134066.tif 000003
【図２】
2018134066.tif 000004
【図３】
2018134066.tif 000005
【図４】
2018134066.tif 000006
【図５】
2018134066.tif 000007